(57)【要約】【課題】  電子レンジによる食品、飲料の加熱と共に、飲食物の埃よけにも継続的に再使用可能で、経済的で、塵芥問題や環境汚染等を起こすこともない、飲食品の被覆用具を提供すること。【課題を解決するための手段】  耐熱性、耐水性を有するシリコン樹脂シートからなる被覆体１と、天然ゴムを素材とする取付部材２及びシリコン樹脂製の固定具３よりなり、被覆体１には複数の挿通孔１ａ〜１ｈが設けられ、取付部材２の取付孔２ａ〜２ｈとはリベット３ａ〜３ｈを介してそれぞれ鋲着され、被覆体１の中央部には多数の排気孔１ｊが設けられている。【選択図】  図１
2006110296.tif 000002
【特許請求の範囲】
【請求項１】
食品又は飲料の加熱又は埃よけ用に使用される被覆用具であって、
耐熱性及び耐水性を有すると共に、引き裂き強度を付与したマイクロ波透過材料からなる被覆体と、
前記被覆体と同質材料又は少なくとも弾性及び耐熱性とを有する異質材料からなる取付部材と、よりなり、
前記被覆体の周縁部と前記取付部材を溶着、接着、縫着、螺着、鋲着又は緊縛等の固定手段により一体化したことを特徴とする、飲食品の被覆用具。
【請求項２】
前記被覆体が０．１ｍｍ〜０．５ｍｍ厚の透明又は半透明シリコン樹脂からなる円形状のシート体であることを特徴とする、請求項１記載の飲食品の被覆用具。
【請求項３】
前記取付部材がリング状又はシート状であることを特徴とする、請求項１及び請求項２記載の飲食品の被覆用具。
【請求項４】
前記取付部材の一端に指掛け用ループが付設されていることを特徴とする、請求項１及び請求項３記載の飲食品の被覆用具。
【請求項５】
前記被覆体、取付部材及び指掛け用ループには抗菌剤が塗布されていることを特徴とする、請求項１ないし請求項４記載の飲食品の被覆用具。
【請求項６】
前記被覆体の上部に蒸気を排出する排気孔を設けたことを特徴とする、請求項２記載の飲食品の被覆用具。
【発明の詳細な説明】
【技術分野】
【０００１】  本発明は、主に食器や調理容器に盛りつけられた飲食品の被覆用具に関し、特に電子レンジによる食品又は飲料の加熱時又は食器上の飲食物の埃よけ用等に、繰り返し使用できる被覆用具に関する。
【背景技術】
【０００２】  従来飲食品の被覆用具としては、合成樹脂製透明フィルム例えば、ラップフィルム（商品名）が一般的であり、食料品店、食堂等が業務用に使用するのは仕方ないとしても、一般家庭においても使い捨ての消耗品として扱われるのは、資源保護の面及び塵芥問題や環境汚染等の点からも好ましくない。【０００３】  また再使用可能な簡易フィルムも市販されているが、それらの商品の多くは耐熱性がなく、電子レンジ等で使用できないので単に、埃よけを目的として使用されている。【０００４】  耐熱性及び耐水性を有する有機珪素化合物であるシリコン樹脂を用いた、飲食品の被覆用具は、現時点おいては開発、市販されたものはなく僅かに、実登３０７８１７５である紙製角形容器の素材剛性を高めるための手段として、紙葉にシリコン樹脂を混練されていることが開示されているだけである。
【特許文献１】登録実用新案第３０７８１７５号公報
【発明の開示】
【発明が解決しようとする課題】
【０００５】  本発明は、上記のように耐熱性がないために、埃よけだけに使用されているラップフィルムに代わり、電子レンジ等による食品、飲料の加熱と共に、飲食物の埃よけにも継続的に再使用可能で、経済的で、塵芥問題や環境汚染等を起こすこともない、社会的にも有意義な、飲食品の被覆用具を提供することを目的としている。
【課題を解決するための手段】
【０００６】  上記の課題を解決するための請求項１の発明は、食品又は飲料の加熱又は埃よけ用に使用される被覆用具であって、耐熱性及び耐水性を有すると共に、引き裂き強度を付与したマイクロ波透過材料からなる被覆体と、前記被覆体と同質材料又は少なくとも弾性及び耐熱性とを有する異質材料からなる取付部材と、よりなり、前記被覆体の周縁部と前記取付部材を溶着、接着、縫着、螺着、鋲着又は緊縛等の固定手段により一体化したことを特徴としている。【０００７】  請求項２の発明は、請求項１記載の飲食品の被覆用具にあって、前記被覆体が０．１ｍｍ〜０．５ｍｍ厚の透明又は半透明シリコン樹脂からなる円形状のシート体であることを特徴としている。【０００８】  請求項３の発明は、請求項１及び請求項２記載の飲食品の被覆用具にあって、前記取付部材がリング状又はシート状であることを特徴としている。【０００９】  請求項４の発明は、請求項１及び請求項３記載の飲食品の被覆用具にあって、前記取付部材の一端に指掛け用ループが付設されていることを特徴としている。【００１０】  請求項５の発明は、請求項１ないし請求項４記載の飲食品の被覆用具にあって、前記被覆体、取付部材及び指掛け用ループには抗菌剤が塗布されていることを特徴としている。【００１１】  請求項６の発明は、請求項２記載の飲食品の被覆用具にあって、前記被覆体の上部に蒸気を排出する排気孔を設けたことを特徴としている。
【発明の効果】
【００１２】  本発明に係る、飲食品の被覆用具は、以下の効果を奏する。即ち請求項１及び請求項２の発明によれば、被覆体は、０．１ｍｍ〜０．５ｍｍと薄厚の透明又は半透明シリコン樹脂からなる円形状のシート体で、取付部材は、被覆体と同質材料又は弾性及び耐熱性とを有する異質材料からなり、被覆用具の製作方法ないし手段は、取付部材の素材、形状、寸法等により適宜選択することができ、また部品点数も少なくかつ構造も簡単で、製作も容易であるから、製作コストが安価となる。【００１３】  また被覆体のシリコン樹脂は、耐熱性及び耐水性を有すると共に、引き裂き強度を付与したマイクロ波透過材料からなるので、食器に載置した食品等を電子レンジによる飲食品の加熱、埃よけとしての使用はもちろん、引き裂き強度が強いので簡単に破断することがなくさらに、洗剤、水等による洗浄も行うことができ、衛生的にかつ継続して再使用できるので、極めて経済的である。さらに、被覆体は、０．１ｍｍ〜０．５ｍｍと薄厚で透明又は半透明であるから被覆した飲食品の内容確認が容易である。【００１４】  請求項３の発明によれば、取付部材は弾性あるリング状又はシート状であるので、被覆体への取付けが容易であり、また飲食器への着脱が簡便にできる。【００１５】  請求項４の発明によれば、取付部材の一端に指掛け用ループが付設されているので、被覆用具を飲食器から取り外すときに便利でかつ、洗浄後にあっては、フック等に掛止して乾燥させることができる。【００１６】  請求項５の発明によれば、被覆体、取付部材及び指掛け用ループには抗菌剤が塗布されているので、常に衛生的に使用できる。【００１７】  請求項６の発明によれば、被覆体の上部に排気孔を設けているので、電子レンジによる飲食物加熱時、水蒸気は排気孔から排出され、電子レンジ内で被覆用具が破裂することを防止できる。
【発明を実施するための最良の形態】
【００１８】  以下、添付の図面に基づいて、その好適な実施形態を説明する。図１は、本発明に係る、飲食品の被覆用具における、第１の実施形態の構成部材を分解した状態を示す斜視図、図２はこれを組付けた状態の斜視図、図３は、第２の実施形態における、被覆体及び取付部材の分解斜視図、図４はその組付けた状態の斜視図、図５は第３の実施形態の斜視図、図６は、第１の実施形態の使用状態を示す斜視図である。【００１９】  図１、図２及び図６に示す、本発明に係る、飲食品の被覆用具（以下、用具Ｃ１という）を構成する主な部材は、被覆体１、取付部材２及び固定具３よりなり、被覆体１は、耐熱性、耐水性を有し、引き裂き強度を付与した厚さが０．１ｍｍ〜０．５ｍｍ厚の透明又は半透明シリコン樹脂シートからなり、その形状は円形とし、周縁内側には複数の挿通孔１ａ、１ｂ、１ｃ、１ｄ、１ｅ、１ｆ、１ｇ、１ｈが等間隔に穿設され、また該挿通孔１ａ〜１ｈから中央部には多数の排気孔１ｊが設けられている。【００２０】  取付部材２は、耐熱性のある弾性部材例えば天然ゴムが好適で、その形状は、図１などに示すリング状又はシート状（不図示）を半折して制作され、該取付部材２の外周面には、被覆体１に設けた挿通孔１ａ〜１ｈに対応するように同数の取付孔２ａ〜２ｈが設けられ、図２に示すように、被覆体１の周縁部は取付部材２の内側に集束され、挿通孔１ａは取付孔２ａに接合され、シリコン樹脂製のリベット３ａにより鋲着され、挿通孔１ｂは取付孔２ｂに、挿通孔１ｃは取付孔３ｃにと順次それぞれ鋲着される。４は取付部材２の一端に緊縛される指掛け用ループ（以下、ループという）で、例えばポリエチレン、ポリプロピレン等の耐熱性樹脂を素材とした紐状体としている。なお被覆体１、取付部材２、リベット３ａ〜３ｈ及びループ４は、いずれも抗菌加工されている。【００２１】  図３は、第２の実施形態を示し、用具Ｃ１０を構成する被覆体１０は、第１の実施形態と同様に、耐熱性、耐水性を有し、引き裂き強度を付与した厚さが０．１ｍｍ〜０．５ｍｍ厚の透明又は半透明シリコン樹脂シートからなり、その形状は円形とし、周縁内側には複数のスリット１０ａ、１０ｂ、１０ｃ、１０ｄ、１０ｅ、１０ｆ、１０ｇ、１０ｈが等間隔に設けられ、取付部材２０は、例えばポリエチレン、ポリプロピレン等の耐熱性樹脂を素材とした伸縮性又は非伸縮性の帯状体としている。４０は取付部材２の一端に緊縛される耐熱性樹脂を素材としたループであり、被覆体１０、取付部材２０及びループ４０は、いずれも抗菌加工されている。【００２２】  用具Ｃ１０の組付け作業は、まず取付部材２０の一端２０ａ又は他端２０ｂを、被覆体１０のスリット１０ａに挿通し、次に被覆体１０の底部を通過させてスリット１０ｂに挿通し、順次同様にしてスリット１０ｃ、１０ｄ、１０ｅ、１０ｆ、１０ｇ、１０ｈと連続して挿通し、スリット１０ａと１０ｈの中間で緊縛する。（図４、参照）【００２３】  用具Ｃ１０は、埃よけとして好適であるが、加熱用には、第１の実施形態である用具Ｃ１の被覆体１に設けている排気孔１ｊを設けることは可能である。なおスリット１０ａ〜１０ｈの両側には補強用の肉盛り部が形成されている。【００２４】  図５は、第３の���施形態を示し、用具Ｃ３０は、第１の実施形態と同様に、耐熱性、耐水性を有し、引き裂き強度を付与した厚さが０．１ｍｍ〜０．５ｍｍ厚の透明又は半透明シリコン樹脂シートからなり、その形状を円形とした被覆体３１と耐熱性を有する例えば、ポリプロピレン、ポリカーボネート、ポリエステル等を素材とする布状取付部材３２とよりなり、被覆体３１の周縁内側は、布状取付部材３２の内側に集束され、上記の耐熱性を有する糸３２ａで縫着されている。また被覆体３１の上部には加熱時の蒸気排出用の排気孔３１ｊが多数設けてある。【００２５】  布状取付部材３２は、ゴム紐等の弾性部材３２ｂが内側に装着され、伸縮自在となっている。なお３３はループである。【００２６】  図６に示すのは、第１の実施形態である用具Ｃ１の使用態様で、調理食品Ｆが盛りつけられた食器Ｐの外周縁に添うように、取付部材２を装着して使用するもので、他の実施例である、用具Ｃ１０及びＣ３０も同様にして使用される。
【図面の簡単な説明】
【００２７】
【図１】本発明に係る、飲食品の被覆用具における、第１実施形態の構成部材を分解した状態を示す斜視図である。
【図２】同、組付けた状態の斜視図である。
【図３】第２実施形態の被覆体及び取付部材の分解斜視図である。
【図４】同、組付けた状態の斜視図である。
【図５】第３実施形態の斜視図である。
【図６】第１実施形態の使用状態を示す斜視図である。
【符号の説明】
【００２８】Ｃ１              被覆用具
１                被覆体
２                取付部材
３                固定具
４                指掛け用ループ
１ａ〜１ｈ        挿通孔
１ｊ              排気孔
２ａ〜２ｈ        取付孔
３ａ〜３ｈ        リベット
【図１】
2006110296.tif 000003
【図２】
2006110296.tif 000004
【図３】
2006110296.tif 000005
【図４】
2006110296.tif 000006
【図５】
2006110296.tif 000007
【図６】
2006110296.tif 000008